(57)【要約】【課題】床ユニットと根太材とを固定する固定装置の提供である。【解決手段】床ユニットＵ1 を根太材Ｊに支持させ、前記床ユニットＵ1 を構成する各床単板１どうしの間に形成された工具挿入隙間Ｖに挿入した工具Ｋにより、前記床ユニットＵ1 の底面部にスライド可能に取付けられた固定片Ｃをスライドさせ、その係合部２１を、根太材Ｊの上下の各係合板部１５a,１５b に係合させる。【選択図】        図６
2004197450.tif 000002
【特許請求の範囲】
【請求項１】
床ユニットの下方に配置された根太材に前記床ユニットを解除可能に固定する装置であって、
自身に工具挿入孔が設けられるか、又は設置状態で隣接する床ユニットとの間に工具挿入孔が形成される床ユニットと、
前記床ユニットの裏面の前記工具挿入孔の部分に該工具挿入孔の方向に沿ってスライド可能に取付けられる固定片と、
前記固定片の係合部に対して係合する被係合部が上端部に形成された根太材とから成り、
前記工具挿入孔に挿入された工具により前記固定片を正方向にスライドさせて、固定片を根太材の上端部に係合させて根太材に床ユニットを固定すると共に、固定片を逆方向にスライドさせて前記固定を解除する構成であることを特徴とする床ユニットの固定装置。
【請求項２】
前記根太材は、複数本のアンカーボルトに支持され、多数の床ユニットの配置状態において、物品の固定を必要とする特定の床ユニットには、前記アンカーボルトの直上位置に固定ロッド挿通孔が開けられ、該ロッド挿通孔に挿通された固定ロッドが前記アンカーボルトの上端部にナットを介して連結される構成であることを特徴とする請求項１に記載の床ユニットの固定装置。
【請求項３】
多数の床ユニットを縦横に配置した状態で、隣接する縦横の各床ユニットどうしを連結する装置であって、
裏面周縁部に方形状の連結枠が取付けられた床ユニットと、
相隣接する一方側の床ユニットの連結枠に所定間隔をおいて取付けられる全方向に回動可能な第１ねじ部材と、
その他方側の床ユニットの連結枠に所定間隔をおいて取付けられて、前記第１ねじ部材と螺合される第２ねじ部材とから成り、
前記第１及び第２の各ねじ部材の螺合により、不同沈下を防止して隣接する床ユニットどうしを連結することを特徴とする床ユニットの連結装置。
【発明の詳細な説明】
【０００１】
【発明の属する技術分野】
本発明は、床ユニットの下方に配置された根太材に、前記床ユニットを解除可能に固定する装置、及び床ユニットどうしを解除可能に連結する装置に関するものである。
【０００２】
【従来の技術】
建物における床の工事では、床下面に所定間隔をおいて設置された複数本の根太材に、床ユニットを取付けている。この床ユニットには、各種のものが存している（例えば、特許文献１参照）。この床ユニットは、例えば、床下に収容された配管類を保守するために、取り外し可能に設置する必要がある。
【０００３】
また、前記床下面が不同沈下すると、隣接する床ユニットどうしの間に大きな隙間が生じたり、段差が生じたりするという不具合が発生する。
【０００４】
【特許文献１】
特開平５−７９１１１号公報
【０００５】
【発明が解決しようとする課題】
本発明は、上記した不具合に鑑み、簡単な操作で根太材に固定される床ユニットの固定装置、及び、不同沈下があっても損傷するおそれのない連結装置を提供することを課題としている。
【０００６】
【課題を解決するための手段】
上記課題を解決するための請求項１に記載の発明は、床ユニットの下方に配置された根太材に前記床ユニットを解除可能に固定する装置であって、自身に工具挿入孔が設けられるか、又は設置状態で隣接する床ユニットとの間に工具挿入孔が形成される床ユニットと、前記床ユニットの裏面の前記工具挿入孔の部分に該工具挿入孔の方向に沿ってスライド可能に取付けられる固定片と、前記固定片の係合部に対して係合する被係合部が上端部に形成された根太材とから成り、前記工具挿入孔に挿入された工具により前記固定片を正方向にスライドさせて、固定片を根太材の上端部に係合させて根太材に床ユニットを固定すると共に、固定片を逆方向にスライドさせて前記固定を解除する構成であることを特徴としている。
【０００７】
根太材に支持された床ユニットは、固定装置を構成する固定片が、床ユニット自身又は隣接して設置される床ユニットどうしの間に設けられた工具挿入孔から挿入された工具によりスライドされ、前記固定片の係合部が、根太材の被係合部と係合される。こうすることによって、床ユニットが根太材に固定される。また、前記工具を逆方向にスライドさせることにより、固定片の係合部と根太材の被係合部との係合が外れ、床ユニットと根太材の固定が解除されるため、床ユニットを取り外すこともできる。この発明では、前記固定片をスライドさせるだけで済むため、その操作が容易である。
【０００８】
請求項２に記載の発明は、請求項１に記載の発明を前提として、前記根太材は、複数本のアンカーボルトに支持され、多数の床ユニットの配置状態において、物品の固定を必要とする特定の床ユニットには、前記アンカーボルトの直上位置に固定ロッド挿通孔が開けられ、該ロッド挿通孔に挿通された固定ロッドが前記アンカーボルトの上端部にナットを介して連結される構成であることを特徴としている。このため、前記アンカーボルトと連結された固定ロッドを利用して、床面に設置される物品を、前記床ユニットに固定することが容易にできる。
【０００９】
請求項３に記載の発明は、多数の床ユニットを縦横に配置した状態で、隣接する縦横の各床ユニットどうしを連結する装置であって、裏面周縁部に方形状の連結枠が取付けられた床ユニットと、相隣接する一方側の床ユニットの連結枠に所定間隔をおいて取付けられる全方向に回動可能な第１ねじ部材と、その他方側の床ユニットの連結枠に所定間隔をおいて取付けられて、前記第１ねじ部材と螺合される第２ねじ部材とから成り、前記第１及び第２の各ねじ部材の螺合により、不同沈下を防止して隣接する床ユニットどうしを連結することを特徴としている。
【００１０】
隣接する床ユニットどうしは、連結装置によって連結される。この連結装置を構成する第１ねじ部材は、一方側の床ユニットの連結枠に取付けられていて、全方向に回動可能であり、同じく第２ねじ部材と、他方側の床ユニットの連結枠に取付けられている。このため、不同沈下により、一方側の床ユニットが沈下したり傾いたりしても、前記第１ねじ部材が対応する方向に回動される。このため、他方側の床ユニットにその影響が及んだり、該連結装置が損傷することが防止される。
【００１１】
【発明の実施の形態】
以下、実施形態をあげて、本発明を更に詳細に説明する。図１は第１実施形態の床ユニットＵ1 の一部を破断した平面図、図２は同じく根太材Ｊに載置させた状態の斜視図、図３は同じく正面断面図、図４は根太材Ｊの組付け状態を示す図、図５は固定片Ｃの下方からの斜視図である。本明細書では、最初に、第１実施形態の床ユニットＵ1 とその固定装置Ａについて説明し、次に、第２実施形態の床ユニットＵ2 とその連結装置Ｂについて説明する。前記固定装置Ａは、第１実施形態の床ユニットＵ1 と、該床ユニットＵ1 の底面部に取付けられた固定片Ｃと、前記床ユニットＵ1 を支持すると共に、前記固定片Ｃを係合させる根太材Ｊとから構成されている。
【００１２】
第１実施形態の床ユニットＵ1 は、図１に示されるように、再生木より成る長尺の床単板１を、複数枚（本実施形態の場合、６枚）、その長手方向と直交する方向に並列に配置し、それらの底面部を、複数本（本実施形態の場合、３本）の連結板２で一体に連結したものである。各床単板１どうしの間には、後述する固定片Ｃをスライドさせる工具Ｋを差し込むための工具挿入隙間Ｖが形成されている。前記各連結板２は、図２及び図３に示されるように、所定の断面形状を有するアルミ形材であり、床単板１の長手方向に所定の間隔をおいて３本配置されていて、各取付ねじ３によって床単板１の底面部に固着されている。この床ユニットＵ1 は、各床単板１の長さ、及び枚数により複数種類のものが存していて、床の設置工事が行われる際には、床面の広さに応じて最適なものが使用される。
【００１３】
前記各床ユニットＵ1 は、根太材Ｊにより、床下面Ｆから所定高さだけ高くなった位置に設置される。即ち、図３及び図４に示されるように、床下面Ｆには、所定間隔をおいて多数個のアンカーナット４が埋設されていて、各アンカーナット４にアンカーボルト５が螺合されている。各アンカーボルト５は、固定ナット６により、床下面Ｆから突出状態で固定されている。これらのアンカーボルト５には、それぞれ高さ調整ナット７が螺合されていると共に、座金８が挿通されている。そして、前記各座金８の上面が同一高さになるように、予め各高さ調整ナット７の螺合位置が調整されている。前記座金８に、根太材Ｊが載置される。
【００１４】
根太材Ｊについて説明する。図３及び図４に示されるように、本実施形態の根太材Ｊは、全長に亘って同一断面形状を有するアルミ形材である。そして、その上板部９ａと下板部９ｂが左右に張り出した本体部９と、前記上板部９ａの両縁部から立設された一対の床ユニット受け部１１とから構成されている。前記上板部９ａと前記下板部９ｂの各端縁部は、補強のため、相対向する側に向かって屈曲されている。また、それらにおいて、各アンカーボルト５と対応する部分には、各アンカーボルト５を挿通させるための挿通孔１２が設けられている。
【００１５】
前述したように、根太材Ｊの本体部９における上板部９ａの両端部には、一対の床ユニット受け部１１が立設されている。一対の床ユニット受け部１１の構成は、対称形状となっていることを除いて同一であるため、一方側の床ユニット受け部１１の構成についてのみ説明する。図３及び図４に示されるように、前記床ユニット受け部１１の上部には、外側に向かって、各床単板１を受けるゴム材１３を取付けるためのゴム材装着溝部１４が張り出している。このゴム材装着溝部１４には、断面視において略「凸」字状の空間部１４ａが、全長に亘って形成されている。この空間部１４ａに、ゴム材１３の下面に垂下された幅広の突起部１３ａが挿通される。前記空間部１４ａの開口幅は、ゴム材１３の突起体１３ａの最大幅よりも狭いため、前記空間部１４ａに挿通されたゴム材１３が抜け出るおそれはない。
【００１６】
また、前記床ユニット受け部１１の上端部から内側に向かって略Ｌ字状の上側係合板部１５ａが張り出していると共に、その下方に、該上側係合板部１５ａと同一形状の下側係合板部１５ｂが、対称にして張り出している。そして、上下の各係合板部１５a,１５b の間に、固定片Ｃの係合部２１（後述）を挿入して係合させるための係合空間部１６が形成されている。アンカーボルト５に挿通された根太材Ｊは、前記アンカーボルト５における根太材Ｊの本体部９から突出した部分に、座金１７を介して螺合されたロックナット１８が締め込まれることにより、強固に取付けられる。
【００１７】
次に、固定装置Ａを構成する固定片Ｃについて説明する。図４ないし図６に示されるように、床ユニットＵ1 における底面部で、床単板１どうしの工具挿入隙間Ｖの部分には、根太材Ｊの長手方向に所定間隔で、各固定片Ｃが取付けられている。これらの固定片Ｃは、断面が倒立した略Ｕ字状で、床単板１の底面部に密着される本体部１９と、前記本体部１９の一方側の下端部から延設され、根太材Ｊにおけるいずれかの側の上下の各係合板部１５a,１５b の間（係合空間部１６）に入り込む係合部２１とから構成されている。前記係合部２１は、前記本体部１９に対して可撓性を有しており、その先端部には、前記係合部２１よりも肉厚で、略三角形状の舌状突辺２１ａが設けられている。また、前記本体部１９には、床単板１の長手方向に沿って２本の長孔１９ａが所定間隔（隣接する床単板１どうしの工具挿入隙間Ｖよりも長い間隔）をおいて平行に形成されている。この固定片Ｃは、各長孔１９ａに挿通された取付ねじ２２が、２枚の床単板１の工具挿入隙間Ｖを跨ぐ形態で、各床単板１の底面部に固着されることによって取付けられる。しかも、固定片Ｃの本体部１９と各取付ねじ２２の首下部との間には、圧縮ばね２３が弾装されているため、前記固定片Ｃの本体部１９は、前記圧縮ばね２３の付勢力（弾性復元力）により、常に、床単板１の底面部に密着されている。床ユニットＵ1 が根太材Ｊに載置されたとき、この固定片Ｃは、前記根太材Ｊにおける一対の床ユニット受け部１１の間に配置される。このとき、固定片Ｃの係合部２１の舌状突片２１ａが、いずれかの側の上下の各係合板部１５a,１５b と相対向される。
【００１８】
この固定片Ｃは、床単板１どうしの工具挿入隙間Ｖに挿通されたピン形状の工具Ｋによってスライドされる。即ち、図２及び図６に示されるように、床ユニットＵ1 を構成する各床単板１どうしの間に形成された工具挿入隙間Ｖから、工具Ｋが挿入される。床ユニットＵ1 を根太材Ｊに固定する場合、前記工具Ｋの下端部は、固定片Ｃの直後方（係合部２１が設けられていない側）に挿入される。そして、工具Ｋを正方向（根太材Ｊの係合空間部１６に向かう方向）に押し込んで、固定片Ｃをスライドさせる。すると、その係合部２１の舌状突片２１ａが、根太材Ｊの係合空間部１６に入り込む。その状態を、図７に示す。また、床ユニットＵ1 と根太材Ｊとの固定を解除する場合、前記工具Ｋの下端部は、固定片Ｃの直前方（固定片Ｃの本体部１９と根太材Ｊの上側係合板部１５ａとの間）に配置される。そして、工具Ｋを逆方向に押し込んで、固定片Ｃを逆方向にスライドさせる。すると、図８に示されるように、固定片Ｃの係合部２１の舌状突片２１ａが、根太材Ｊの係合空間部１６から抜け出る。上記したように、工具Ｋを使用して、固定片Ｃを正逆いずれかの方向にスライドさせることにより、床ユニットＵ1 と根太材Ｊとの固定、及びその解除をすることができる。
【００１９】
本発明に係る固定装置Ａの作用を説明する。最初に、床ユニットＵ1 を、根太材Ｊに固定する場合の作用について説明する。図４に示されるように、床下面Ｆから突設されたアンカーボルト５に、根太材Ｊの本体部９が装着される。根太材Ｊの上面が、全長に亘ってほぼ水平となるように、高さ調整ナット７の螺合位置が調整される。そして、前記アンカーボルト５における根太材Ｊの本体部９からの突出部分に、座金１７が挿通され、ロックナット１８が螺合されて締め付けられる。こうすることにより、根太材Ｊは、その上面が全長に亘ってほぼ水平となった状態で、アンカーボルト５に支持される。また、この根太材Ｊにおける両側のゴム材装着溝部１４には、予め、根太材Ｊの全長に亘ってゴム材１３が装着されている。
【００２０】
このようにして設置された根太材Ｊの上面に、床ユニットＵ1 が載置される。
このとき、各固定片Ｃは、図６に示されるように、根太材Ｊにおける一対の床ユニット受け部１１の間に配置され、その係合部２１は、いずれかの係合板部１５a,１５b と相対向される。そして、床単板１どうしの工具挿入隙間Ｖに、上方から工具Ｋを挿入させる。作業者は、前記工具Ｋを、固定片Ｃの背面部（係合部２１が設けられていない側）に当接させ、そのまま固定片Ｃを、根太材Ｊの係合板部１５a,１５b に向かって押し込む。すると、該固定片Ｃがスライドされ、その係合部２１の舌状突片２１ａが、上側の係合板部１５ａに当接し、下方に屈曲されながら、上下の各係合板部１５a,１５b の間に形成された係合空間部１６に入り込む（図７参照）。係合部２１の舌状突片２１ａは、上側の係合板部１５ａに係合されるため、床ユニットＵ1 が浮き上がることが防止される。この操作は、固定片Ｃをスライドさせるだけで済み、床ユニットＵ1 を移動させる必要はないため、容易である。
【００２１】
次に、床ユニットＵ1 を根太材Ｊから取り外す場合について説明する。図７に示されるように、固定片Ｃがスライドされ、係合部２１の舌状突片２１ａが、係合空間部１６に嵌まり込んだとき、該固定片Ｃの本体部１９に形成された長孔１９ａの端部が、取付ねじ２２に当接する。このため、前記固定片Ｃは、それ以上スライドすることが防止される。この状態で、固定片Ｃの本体部１９と、上側の係合板部１５ａとの間には、工具Ｋの下端部よりも僅かに大きな空間部２４が形成されている。図８に示されるように、この空間部２４に工具Ｋの下端部を入り込ませ、該工具Ｋを下方に押し込む。すると、前記固定片Ｃの本体部１９は、取付ねじ２２に弾装された圧縮ばね２３の弾性復元力に抗して押し下げられる。このため、固定片Ｃの係合部２１の舌状突片２１ａと上側の係合板部１５ａとの係合が解除される。この状態のまま、工具Ｋを後退させて、固定片Ｃを後方にスライドさせる。こうすることにより、床ユニットＵ1 と根太材Ｊとの固定が解除され、床ユニットＵ1 を持ち上げることができる。
【００２２】
本実施形態の床ユニットＵ1 では、前述したアンカーボルト５を利用して、床ユニットＵ1 に設置される家具類を固定させることもできる。即ち、図９に示されるように、アンカーボルト５の上端部に螺合されるロックナット１８（図４参照）を高ナット２５にすると共に、床ユニットＵ1 を構成する特定の床単板１におけるアンカーボルト５の直上部分に、貫通孔２６を形成する。そして、前記高ナット２５における雌ねじ部２５ａの上部（アンカーボルト５が螺合されていない部分）に、床ユニットＵ1 の貫通孔２６に挿通されたねじ軸２７を螺合させる。このねじ軸２７を、例えば、テーブル２８の脚部に挿通させ、六角ナット（図示せず）で固定する。こうすることにより、テーブル２８等の家具類を、容易に固定することができる。
【００２３】
上記した実施形態の固定装置Ａでは、複数枚の床単板１を連結させて形成された床ユニットＵ1 に固定片Ｃが取付けられた場合である。そして、隣接する床単板１どうしの間に形成された工具挿入隙間Ｖに工具Ｋを挿入させて、前記固定片Ｃをスライドさせる形態である。この実施形態の固定装置Ａの場合、床単板１どうしの工具挿入隙間Ｖに跨がって固定片Ｃが取付けられているため、前記工具挿入隙間Ｖから固定片Ｃをスライドさせるための工具Ｋを挿入させることができるという利点がある。しかし、前記固定片Ｃが取付けられる位置は、工具挿入隙間Ｖの部分でなく、床単板１の底面部であっても構わない。この場合、床単板１における固定片Ｃの直上に、工具Ｋを挿入させるための長孔（図示せず）が、床単板１の長手方向に沿って設けられる。
【００２４】
次に、第２実施形態の床ユニットＵ2 と、その連結装置Ｂについて説明する。
第２実施形態の床ユニットＵ2 は、図１０に示されるように、隙間なく並列に配置した複数枚（本実施形態の場合、１４枚）の床単板３１を、それらの底面部の周縁部に配置した各連結枠３２によって一体にした形態である。そして、図１１及び図１２に示されるように、前記各連結枠３２における張出し部分（ボルト装着溝部３３）に所定間隔をおいて第１ねじ部材（連結ボルト３４とロッドエンド３５）が装着された第１床ユニット単体３６と、前記連結枠３２の周壁部３２ｂに、前記第１ねじ部材と対応する第２ねじ部材（六角ボルト３７）が取付けられた第２床ユニット単体３８とから成る。第２実施形態の床ユニットＵ2 により、床が形成されるときには、前記第１及び第２の各床ユニット単体３６，３８が、交互に、かつ縦横に設置される。
【００２５】
第１床ユニット単体３６の構成について説明する。図１１及び図１２に示されるように、第１床ユニット単体３６を構成する複数枚の床単板３１は、それらの底面部に配置された連結枠３２によって一体に連結されている。この連結枠３２は、アジャストボルト３９を介して床下面Ｆに設置されるベース板部３２ａと、該ベース板部３２ａの外側の端部から立設された周壁部３２ｂと、該周壁部３２ｂの上端面に設けられた床ユニット受け部３２ｃとから構成されている。前記アジャストボルト３９は、連結枠３２のベース板部３２ａに固着されたナット部材４１に螺合されていると共に、その下端部に、アジャストベース４２が固着されている。また、各床ユニット単体３６，３８において、前記アジャストボルト３９の直上の部分には、該アジャストボルト３９を回転させる工具（図示せず）を挿通させるための各貫通孔３１ａが設けられている。このアジャストボルト３９をいずれかの方向に回転させると、アジャストベース４２における連結枠３２のベース板部３２ａからの突出長が調整される。こうすることによって、床ユニットＵ2 における床下面Ｆから高さを調整することができる。
【００２６】
そして、連結枠３２の床ユニット受け部３２ｃは、連結枠３２の周壁部３２ｂより外側に延設されていて、その下部に、連結ボルト３４を装着するためのボルト装着溝部３３が設けられている。そして、このボルト装着溝部３３に、所定の間隔をおいて、連結ボルト３４が装着され、固定ナット４３が締め付けられることによって固定されている。この連結ボルト３４の雄ねじ部３４ａは、ロッドエンド３５の先端部に装着された球面軸受３５ａに挿通されている。この球面軸受３５ａの孔径は、連結ボルト３４の雄ねじ部３４ａの外径よりも少し大きい。そして、この球面軸受３５ａは、全方向に回動可能である。このため、前記ロッドエンド３５は、連結ボルト３４が挿通された状態であっても、全方向に傾斜可能である。
【００２７】
前記ボルト装着溝部３３の外側の壁面部には、パイプ状のゴム材４４を装着するためのゴム材装着溝部４５が設けられている。そして、この連結枠３２は、取付ねじ４６により、床単板３１の底面部に固着される。また、連結枠３２の背面部には、そのほぼ全周に亘って、各補強板４７，４８が取付けられている。なお、図１１において、４９，５１は、各補強板４７，４８を取付けるための取付ねじである。
【００２８】
次に、第２床ユニット単体３８の構成について説明する。第２床ユニット単体３８を構成する各床単板３１は、前述した第１床ユニット単体３６の連結枠３２と同一形状の連結枠３２によって一体に連結されている。第２床ユニット単体３８において、第１床ユニット単体３６と異なる部分は、ボルト装着溝部３３に連結ボルト３４が装着されておらず、前記連結枠３２の周壁部３２ｂにおける第１床ユニット単体３６のロッドエンド３５と対応する位置に、水平方向に六角ボルト３７が取付けられていて、該六角ボルト３７の先端部が、ロッドエンド３５と螺合されていることである。
【００２９】
連結装置Ｂの作用について説明する。最初に、第２床ユニット単体３８を設置する。このとき、六角ボルト３７の先端部には、予め、ロッドエンド３５が螺合されている。そして、前記第２床ユニット単体３８に隣接させて第１床ユニット単体３６を設置する。このとき、第１床ユニット単体３６の各連結ボルト３４の雄ねじ部３４ａは、前記ロッドエンド３５の球面軸受３５ａに挿通される。それと共に、第１及び第２の各床ユニット単体３６，３８のゴム材４４どうしが当接し、両床ユニット単体３６，３８は、緩衝状態で設置される。このように、第１及び第２の各床ユニット単体３６，３８は、連結装置Ｂを介して相互に連結された状態で、縦横に設置される。
【００３０】
もし、床下面Ｆに不同沈下が発生し、いずれかの床ユニット単体３６，３８が高さ方向に沿って下降しても、連結ボルト３４の雄ねじ部３４ａは、ロッドエンド３５の球面軸受３５ａに挿通されているだけであるため、前記ロッドエンド３５が前記連結ボルト３４に対して上下動するのみである。このため、連結装置Ｂが損傷するおそれはない。また、不同沈下により、いずれかの床ユニット単体３６，３８が傾斜すると、前記ロッドエンド３５が斜めに配置されるおそれがある。しかし、連結ボルト３４の雄ねじ部３４ａは、ロッドエンド３５の球面軸受３５ａに対して全方向に回動可能であるため、連結装置Ｂは、そのままの状態（第１及び第２の各床ユニット単体３６，３８を連結した状態）で保持される。このため、連結装置Ｂが損傷するおそれはない。
【００３１】
上記した実施形態の連結装置Ｂは、連結ボルト３４とその雄ねじ部３４ａが挿通されるロッドエンド３５とから成る第１ねじ部材に、六角ボルト３７より成る第２ねじ部材が螺合された構成である。しかし、これ以外の構成、例えば、第１及び第２の各ねじ部材が、ダンパ装置によって連結される構成であっても構わない。
【００３２】
第１及び第２の各実施形態の床ユニットＵ1,Ｕ2 を構成する床単板１，３１は、再生木より成るものである。しかし、再生木以外の素材、例えば、天然木、石、金属等から成るものであっても構わない。
【００３３】
【発明の効果】
本発明に係る床ユニットの固定装置は、床ユニットの下方に配置された根太材に前記床ユニットを解除可能に固定する装置であって、自身に工具挿入孔が設けられるか、又は設置状態で隣接する床ユニットとの間に工具挿入孔が形成される床ユニットと、前記床ユニットの裏面の前記工具挿入孔の部分に該工具挿入孔の方向に沿ってスライド可能に取付けられる固定片と、前記固定片の係合部に対して係合する被係合部が上端部に形成された根太材とから成り、前記工具挿入孔に挿入された工具により前記固定片を正方向にスライドさせて、固定片を根太材の上端部に係合させて根太材に床ユニットを固定すると共に、固定片を逆方向にスライドさせて前記固定を解除する構成であることを特徴としている。このため、床ユニットの裏面に取付けられた固定片をスライドさせて、その係合部を根太材の被係合部に係合させるだけで、床ユニットを根太材に固定させることができる。また、前記固定を解除する場合には、固定片を逆方向にスライドさせるだけで済み、固定及びその解除の操作が簡単である。
【００３４】
本発明に係る床ユニットの連結装置は、多数の床ユニットを縦横に配置した状態で、隣接する縦横の各床ユニットどうしを連結する装置であって、裏面周縁部に方形状の連結枠が取付けられた床ユニットと、相隣接する一方側の床ユニットの連結枠に所定間隔をおいて取付けられる全方向に回動可能な第１ねじ部材と、その他方側の床ユニットの連結枠に所定間隔をおいて取付けられて、前記第１ねじ部材と螺合される第２ねじ部材とから成り、前記第１及び第２の各ねじ部材の螺合により、不同沈下を防止して隣接する床ユニットどうしを連結することを特徴としている。このため、不同沈下が生じて、各床ユニットが傾いても、それらの連結が解放されたり、該連結装置が損傷したりすることはない。
【図面の簡単な説明】
【図１】第１実施形態の床ユニットＵ1 の一部を破断した平面図である。
【図２】同じく根太材Ｊに載置させた状態の斜視図である。
【図３】同じく正面断面図である。
【図４】根太材Ｊの組付け状態を示す図である。
【図５】固定片Ｃの下方からの斜視図である。
【図６】固定片Ｃを正方向にスライドさせて、根太材Ｊに係合させる状態の作用説明図である。
【図７】床ユニットＵ1 が根太材Ｊに固定された状態の斜視図である。
【図８】固定片Ｃを逆方向にスライドさせて、根太材Ｊとの係合を解除させる状態の作用説明図である。
【図９】高ナット２５に螺合されたねじ軸２７に、テーブル２８の脚部が固定された状態を示す図である。
【図１０】第２実施形態の床ユニットＵ2 の平面図である。
【図１１】図１０のＸ−Ｘ線断面図である。
【図１２】一部を破断した床ユニットＵ2 の底面図である。
【符号の説明】
Ａ：固定装置
Ｂ：連結装置
Ｃ：固定片
Ｊ：根太材
Ｋ：工具
Ｕ1,Ｕ2 ：床ユニット
Ｖ：工具挿入隙間（工具挿入孔）
５：アンカーボルト
１５a,１５b ：係合板部（被係合部）
２１：係合部
２５：高ナット（ナット）
２６：貫通孔（固定ロッド挿通孔）
２７：ねじ軸（固定ロッド）
２８：テーブル（物品）
３２：連結枠
３４：連結ボルト（第１ねじ部材）
３５：ロッドエンド（第１ねじ部材）
３６：第１床ユニット単体（床ユニット）
３７：六角ボルト（第２ねじ部材）
３８：第２床ユニット単体（床ユニット）
【図１】
2004197450.tif 000003
【図２】
2004197450.tif 000004
【図３】
2004197450.tif 000005
【図４】
2004197450.tif 000006
【図５】
2004197450.tif 000007
【図６】
2004197450.tif 000008
【図７】
2004197450.tif 000009
【図８】
2004197450.tif 000010
【図９】
2004197450.tif 000011
【図１０】
2004197450.tif 000012
【図１１】
2004197450.tif 000013
【図１２】
2004197450.tif 000014